(57)【特許請求の範囲】
【請求項１】
頭部を包むフード本体（２）の下部に首から肩の部分を覆うスカート部（１２）を縫い付け、フード本体（２）の目の位置の開口部（３）を透明フィルム（４）で覆い、開口部（３）の下方で鼻より口に至る位置でフード本体（２）を切り抜き、その切り抜き部分の周囲に通気性素材（５）を縫い付けて、切り抜き部分を通気性素材（５）で塞ぐとともに、通気性素材（５）を外布（６）と内布（７）とで構成し、外布（６）と内布（７）とを通気性素材（５）の中間位置で左右方向に縫い付けて、通気性素材（５）の中間位置に外布（６）と内布（７）とで上開口形式のポケットを形成し、透明フィルム（４）の下部を外布（６）と内布（７）との間の上開口形式のポケット内に差し込み、上開口形式のポケット内で透明フィルム（４）の動きを許容する構造とし、さらにフード本体（２）の開口部（３）の上部につば（１０）を形成し、透明フィルム（４）の上部をつば（１０）に対して着脱自在に固定してなり、着用状態で着用者から落下した人体の剥離物を透明フィルム（４）の内面によって案内し、上開口形式のポケット内に保持する、ことを特徴とする防塵フード（１）。
【請求項２】
頭部を包むフード本体（２）の下部に首から肩の部分を覆うスカート部（１２）を縫い付け、フード本体（２）の目の位置の開口部（３）を透明フィルム（４）で覆い、開口部（３）の下方で鼻より口に至る位置でフード本体（２）を切り抜き、その切り抜き部分をフード本体（２）に対して別部材の通気性素材（５）で塞ぐとともに、通気性素材（５）を外布（６）と内布（７）とで構成し、外布（６）と内布（７）とを通気性素材（５）の中間位置で左右方向に縫い付けて、通気性素材（５）の中間位置に外布（６）と内布（７）とで上開口形式のポケットを形成し、透明フィルム（４）の下部を外布（６）と内布（７）との間の上開口形式のポケット内に差し込み、上開口形式のポケット内で透明フィルム（４）の動きを許容する構造とし、さらに通気性素材（５）をフード本体（２）から分離可能な状態でフード本体（２）に対して通気性素材（５）の左右の着脱具（１４）により取り付けられており、透明フィルム（４）の下部を通気性素材（５）に対して固定具（９）により着脱自在に取り付け、さらに通気性素材（５）の下縁を首部分覆い用の布（１５）と一体とし、布（１５）の左右の端部に顎下あてがい用の紐（１７）を設けてなり、着用状態で着用者から落下した人体の剥離物を透明フィルム（４）の内面によって案内し、上開口形式のポケット内で保持する、ことを特徴とする防塵フード（１）。
【発明の詳細な説明】
【０００１】
【発明の技術分野】
本発明は、清浄作業用の防塵フードの改良に関する。
【０００２】
【従来の技術】
薬品の製造過程において、衛生上製品への異物混入が大きな問題となっている。そのため薬品製造作業には、防塵服や防塵フードを着用するなど様々な配慮がなされている。なかでも、作業中に、作業者のまつ毛や、まゆ毛などが抜け落ちて、フード顔面の開口部から落下し、製品に混入する問題に対して目の周辺を覆うゴーグルを使用するなどして対処している。
【０００３】
ところが、ゴーグルは、着用時に、装着用のベルトにより着用者の頭部を締め付けるため不快感があり、長時間の使用には適しない。また使用後には、着用時の圧迫により顔面にゴーグルの跡が残るなど、とりわけ女性には歓迎されない防塵対策であった。
【０００４】
【発明の課題】
したがって、本発明の課題は、防塵フードの顔面側の開口部からまつ毛等の落下を防止することである。
【０００５】
【発明の解決手段】
そこで、本発明は、頭部を包むフード本体およびフード本体の下部で首から肩の部分を覆うスカート部とからなる防塵フードにおいて、フード本体の目の位置の開口部を透明フィルムで覆い、鼻より口に至る位置をフード本体に取り付けられた通気性素材で覆っている。透明フィルムは、フード本体に対して着脱自在であり、透明フィルムの下部は、鼻より口に至る位置を覆う通気性素材に連結されている。通気性素材は、外布と内布とで構成されており、透明フィルムの下部は、外布と内布とで形成される上開口形式のポケットに差し込まれる（請求項１・請求項２）。
【０００６】
またフード本体は、開口部の上部につばを有し、透明フィルムの上部は、つばに対して着脱自在に連結されている（請求項１）。さらに、通気性素材は、フード本体に対して、分離可能な状態で着脱具により取り付けられている（請求項２）。
【０００７】
【発明の実施の形態】
図１および図２は、本発明の防塵フード１を示している。防塵フード１は、頭部を包むフード本体２によって構成されている。フード本体２は、作業者の頭部を包み込むために、例えば柔軟な導電糸入で高い織り密度の布であり、作業者の顔面位置で、少なくとも目と対応する位置で開口部３を形成している。このフード本体２の開口部３の下方で、鼻より口に至る位置は、切り抜かれており、その切り抜き部分は、切り抜き部分の周囲にそってフード本体２に縫い付けた通気性素材５によって塞がれている。
【０００８】
通気性素材５は、ごみの通過を阻止し、かつ着用者の呼吸を楽にできる大きさの通気性の繊維例えば不織布またはメッシュ状の繊維からなり、フード本体２の切り抜き部分に対して上および左右で縫い付けられた内布７と、フード本体２に対して下および左右の部分でのみ縫い付けられ、かつ内布７に対して中間位置で左右方向に縫い付けられた外布６とで構成されている。この結果、外布６と内布７とは、中間の高さより上方で上開口形式のポケットを形成している。
【０００９】
そして、開口部３は、透明フィルム４によって覆われている。すなわち、透明フィルム４は、例えばスナップボタンなどの固定具８によって開口部３の上部に形成されたつば１０に対して、また左右の固定具９によって開口部３の下縁に対してそれぞれ着脱自在に取り付けられている。この結果、透明フィルム４の下部は、通気性素材５としての外布６と内布７との間の上開口形式のポケットに差し込まれ、フード本体２に対し着脱可能な状態となっている。透明フィルム４の内部空間は、眼鏡の収容空間であり、またくもり止めのために適切な空気量を確保するものでもある。
【００１０】
なお、この実施例において、フード本体２は、顔面を覆う部分で複数の立体裁断の布を組み合わせ、それに頭部の背面側を覆う部分の布および頭部の上面を覆う布を組み合わせて構成されている。そして、頭部周りを調整するために、後部にベルト１３およびこのベルト長さを調整するための調節具１１が設けられている。また、フード本体２の下部は、作業者の首から肩の部分を覆うためのスカート部１２が縫い付けられている。
【００１１】
上記構成の防塵フード１によると、作業者の目の位置の開口部３が透明フィルム４によって被覆されているため、作業者の視野を確保しながら、まつ毛など人体からの剥離物が防塵フード１の内側から外部に飛散せず、それによって製品への異物混入が未然に防止できる。この防塵フード１の着用状態で、作業者のまつ毛などが人体から落下するとき、透明フィルム４の内面に案内されて、内布７と外布６とのポケット状の部分に収納され、最終的にこの部分に保持されて外部に飛散しないことになる。しかも、透明フィルム４の下部すなわち作業者の鼻や口と対応する部分に、メッシュ繊維や不織布などの通気性素材５（外布６・内布７）が縫い付けられているため、作業者は、その通気性によって、楽な呼吸状態で作業を行える。
【００１２】
そして、透明フィルム４が上部で固定され、下部で外布６と内布７とで挟み込まれた状態として押さえ付けられているため、着用者に締め付け感を与えない状態となっている。しかも、作業者が頭部を動かしたとき、透明フィルム４の下部が通気性素材５（外布６・内布７）に対して上下方向にある程度滑ることによって、透明フィルム４の動きを許容するため、透明フィルム４の剛性が運動を妨げるようなこともない。
【００１３】
透明フィルム４は、フード本体２に対して容易に着脱できるため、フード本体２を滅菌処理するとき、熱に弱い透明フィルム４の部分を取り外して処理できる。また、透明フィルム４の部分が破損したときは、その透明フィルム４のみの交換によって、フード本体２の部分は、引続き利用できるため、利用者にとって経済的となる。特に、通気性素材５をメッシュ素材で構成すれば、呼吸が効率よく排出吸入されるので、防塵フード１の内部でのむれが防止でき、また透明フィルム４の曇りが少なくなる。
【００１４】
なお、開口部３の上部につば１０が形成されていると、上部からの光が透明フィルム４の内部に入り込まず、透明フィルム４の内面での乱反射が防止できるため、作業者の視界がよくなる。
【００１５】
次に図３の例は、フード本体２に対して通気性素材５を別部材とし、これを左右の着脱具１４例えばベルクロテープにより分離可能な状態でフード本体２に取り付ける例である。この場合、透明フィルム４は、下部で通性素材５としての外布６と内布７との間の上開口形式のポケットに差し込まれ、固定具９により通気性素材５の内布７に取り付けられ、必要に応じ上部で固定具８によりフード本体２に取り付けられる。ここで、通気性素材５の下縁は、首の部分を覆うための布１５と一体となっている。なお、この布１５の左右の端部にゴム紐１６が通されており、またその下辺の通し孔に布１５を顎下にあてがうための紐１７が通されている。
【００１６】
なお、上記防塵フード１は、薬品などの製造用の作業のほか、精密機械や半導体製品の製造工程において、いわゆるクリーンルームの内部で使用することもできる。
【００１７】
【発明の効果】
本発明では、次の特有の効果が得られる。防塵フード着用状態で、フード本体の目の位置の開口部が透明フィルムによって被覆されているため、その開口部からのまつ毛などの飛散が防止でき、製品への異物混入が未然に防止できる。特に、作業者（着用者）のまつ毛などが落下したとしても、透明フィルムの内面に案内されて、通気性素材としての内布と外布との間に形成されているポケット状の部分に収納され、最終的にこの部分に保持されて外部に飛散しないことになる（請求項１・請求項２）。
【００１８】
しかも作業者の鼻より口に至る位置が通気性素材（内布・外布）によって覆われており、その位置で通気性が確保できるため、作業者の呼吸が楽に行え、また透明フィルムの内部が曇ったり、むれたりすることもなく、快適な状態で作業ができる（請求項１・請求項２）。
【００１９】
そして、透明フィルムがフード本体の開口部を覆い、通気性素材としての外布と内布との間のポケット状の部分で連結され、フード本体の前面の部分でのみで保持され、かつ着脱自在に組み合わせられているため、着用者に締め付け感を与えず、快適な状態で作業が行える。フード本体を滅菌処理するとき、熱に弱い透明フィルムの部分を取り外して処理がきる。また、透明フィルムの部分が破損したときは、その透明フィルムのみの交換によって、フード本体の部分は、引続き利用できるため、利用者にとって経済的となる（請求項１・請求項２）。
【００２０】
作業者が頭部を動かしたとき、透明フィルムの下部が通気性素材としての外布と内布との間のポケット状の部分で上下方向にある程度滑ることによって、透明フィルムの動きを許容するため、透明フィルムの剛性が作業者の運動を妨げるようなこともない（請求項１・請求項２）。
【００２１】
またフード本体につばが設けられており、これが透明フィルムの上部を覆うとともに、透明フィルムの上部に対し着脱自在となっているものでは、着脱操作が容易であり、しかも上部からの光が透明フィルムの内部に入り込まないため、乱反射による眩しさがなく、視界性が良好となる（請求項１）。
【００２２】
通気性素材（内布・外布）をフード本体に対して別部材で、着脱具によりフード本体に取り付ける例では、汚れやすい通気性素材（内布・外布）がフード本体から分離可能となるので便利である（請求項２）。また、通気性素材の下縁の布の存在によって、首の部分を覆い、その布を紐の締めつけにより顎の部分あてがうことができる（請求項２）。
【図面の簡単な説明】
【図１】本発明の防塵フードの斜面図である。
【図２】フード本体の開口部に対する透明フィルムの取り付け状態の一部の断面図である。
【図３】通気性素材（外布・内布）および透明フィルムをフード本体と分離した実施例の斜面図である。
【符号の説明】
１  防塵フード
２  フード本体
３  開口部
４  透明フィルム
５  通気性素材
６  外布
７  内布
８  固定具
９  固定具
１０  つば
１１  調節具
１２  スカート部
１３  ベルト
１４  着脱具
１５  布
１６  ゴム紐
１７  紐
【図１】
0004175581.tif 000002
【図２】
0004175581.tif 000003
【図３】
0004175581.tif 000004